【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
アナログ入力信号をサンプリングし、上位ビット側のデジタル信号を生成する上位側の変換部と、
アナログ入力信号をサンプリングし、前記上位側の変換部の処理結果に基づいて下位ビット側のデジタル信号を生成する下位側の変換部と、
前記各変換部が生成したデジタル信号を合成しアナログ入力信号をデジタル出力信号とする出力部と
を備えたＡ／Ｄ変換器であって、
前記下位側の変換部は、
前記上位側の変換部のデジタル信号を生成する動作中にアナログ入力信号をサンプリングする動作を行なうことを特徴とするＡ／Ｄ変換器。
【請求項２】
アナログ入力信号をサンプリングし、サンプリングしたアナログ入力信号と基準電圧とを比較判定して上位ビット側のデジタル信号を生成する上位側の変換部と、
アナログ入力信号をサンプリングし、前記上位側の変換部の比較判定結果に基づいて下位側基準電圧を設定し、サンプリングしたアナログ入力信号と該下位側基準電圧とを比較判定して下位ビット側のデジタル信号を生成する下位側の変換部と、
前記各変換部が生成したデジタル信号を合成しアナログ入力信号をデジタル出力信号とする出力部と
を備えたＡ／Ｄ変換器であって、
前記下位側の変換部は、前記上位側の変換部の比較判定動作中にアナログ入力信号をサンプリングする動作を行なうことを特徴とするＡ／Ｄ変換器。
【請求項３】
アナログ入力信号をサンプリングし、サンプリングしたアナログ入力信号と基準電圧とを比較判定して上位ビット側のデジタル信号を生成する上位側の変換部と、
アナログ入力信号をサンプリングし、サンプリングしたアナログ入力信号と前記上位ビット側のデジタル信号を再びアナログ信号にした値と前記上位側の変換部の比較判定結果とに基づいて、下位ビット側のデジタル信号を生成する下位側の変換部と、
前記各変換部が生成したデジタル信号を合成しアナログ入力信号をデジタル出力信号とする出力部と
を備えたＡ／Ｄ変換器であって、
前記下位側の変換部は、前記上位側の変換部の比較判定動作中にアナログ入力信号をサンプリングする動作を継続することを特徴とするＡ／Ｄ変換器。
【請求項４】
前記下位側の変換部は、
前記上位ビット側のデジタル信号が示す電位の範囲を拡大した範囲から下位ビット側のデジタル信号を生成することを特徴とする請求項１又は請求項３のいずれか１項に記載のＡ／Ｄ変換器。
【請求項５】
前記下位側の変換部は、
前記上位ビット側のデジタル信号が示す電位を拡大した値を前記下位側基準電圧として設定することを特徴とする請求項２に記載のＡ／Ｄ変換器。
【手続補正２】
【補正対象書類名】明細書
【補正対象項目名】００１２
【補正方法】変更
【補正の内容】
【００１２】
【課題を解決するための手段】
図１は請求項１に記載した発明の原理説明図である。すなわち、Ａ／Ｄ変換器は上位側の変換部１と下位側の（精密）変換部２と出力部３を備える。上位側の変換部１は、アナログ入力信号をサンプリングし、上位ビット側のデジタル信号を生成する。


【手続補正３】
【補正対象書類名】明細書
【補正対象項目名】００１３
【補正方法】変更
【補正の内容】
【００１３】
下位側の（精密）変換部２は、上位側の変換部１のデジタル信号を生成する動作中にサンプリングする動作を行ない、アナログ入力信号をサンプリングする。そして、そのサンプリングしたアナログ入力信号と上位側の変換部の処理結果に基づいて下位ビット側のデジタル信号を生成する。出力部３は、両変換部１，２が生成したデジタル信号を合成しデジタル出力信号を生成する。


【手続補正４】
【補正対象書類名】明細書
【補正対象項目名】００１４
【補正方法】変更
【補正の内容】
【００１４】
請求項２では、アナログ入力信号をサンプリングし、サンプリングしたアナログ入力信号と基準電圧とを比較判定して上位ビット側のデジタル信号を生成する上位側の変換部と、アナログ入力信号をサンプリングし、前記上位側の変換部の比較判定結果に基づいて下位側基準電圧を設定し、サンプリングしたアナログ入力信号と該下位側基準電圧とを比較判定して下位ビット側のデジタル信号を生成する下位側の変換部と、前記各変換部が生成したデジタル信号を合成しアナログ入力信号をデジタル出力信号とする出力部とを備えたＡ／Ｄ変換器であって、前記下位側の変換部は、前記上位側の変換部の比較判定動作中にアナログ入力信号をサンプリングする動作を行なうことを要旨としている。


【手続補正５】
【補正対象書類名】明細書
【補正対象項目名】００１５
【補正方法】変更
【補正の内容】
【００１５】
請求項３では、アナログ入力信号をサンプリングし、サンプリングしたアナログ入力信号と基準電圧とを比較判定して上位ビット側のデジタル信号を生成する上位側の変換部と、アナログ入力信号をサンプリングし、サンプリングしたアナログ入力信号と前記上位ビット側のデジタル信号を再びアナログ信号にした値と前記上位側の変換部の比較判定結果とに基づいて、下位ビット側のデジタル信号を生成する下位側の変換部と、前記各変換部が生成したデジタル信号を合成しアナログ入力信号をデジタル出力信号とする出力部とを備えたＡ／Ｄ変換器であって、前記下位側の変換部は、前記上位側の変換部の比較判定動作中にアナログ入力信号をサンプリングする動作を継続することを要旨としている。


【手続補正６】
【補正対象書類名】明細書
【補正対象項目名】００１６
【補正方法】変更
【補正の内容】
【００１６】
請求項４では、前記下位側の変換部は、前記上位ビット側のデジタル信号が示す電位の範囲を拡大した範囲から下位ビット側のデジタル信号を生成することを要旨としている。


【手続補正７】
【補正対象書類名】明細書
【補正対象項目名】００１７
【補正方法】変更
【補正の内容】
【００１７】
請求項５では、前記下位側の変換部は、前記上位ビット側のデジタル信号が示す電位を拡大した値を前記下位側基準電圧として設定することを要旨としている。


【手続補正８】
【補正対象書類名】明細書
【補正対象項目名】００１８
【補正方法】変更
【補正の内容】
【００１８】
請求項１に記載の発明によれば、上位側の変換部１では、アナログ入力信号がサンプリングされ、上位ビット側のデジタル信号が生成される。下位側の（精密）変換部２では、上位側の変換部１のデジタル信号を生成する動作中にサンプリングする動作が行なわれ、アナログ入力信号がサンプリングされる。そして、そのサンプリングしたアナログ入力信号と上位側の変換部の処理結果に基づいて下位ビット側のデジタル信号が生成される。出力部３では、両変換部１，２が生成したデジタル信号が合成されデジタル出力信号が生成される。


【手続補正９】
【補正対象書類名】明細書
【補正対象項目名】００１９
【補正方法】変更
【補正の内容】
【００１９】
請求項２に記載の発明によれば、上位側の変換部では、アナログ入力信号がサンプリングされ、サンプリングしたアナログ入力信号と基準電圧とが比較判定されて上位ビット側のデジタル信号が生成される。下位側の変換部では、上位側の変換部の比較判定動作中にサンプリングする動作が行なわれ、アナログ入力信号がサンプリングされる。又、上位側の変換部の比較判定結果に基づいて下位側基準電圧が設定される。そして、サンプリングしたアナログ入力信号と下位側基準電圧とが比較判定されて下位ビット側のデジタル信号が生成される。出力部では、両変換部が生成したデジタル信号が合成されデジタル出力信号が生成される。


【手続補正１０】
【補正対象書類名】明細書
【補正対象項目名】００２０
【補正方法】変更
【補正の内容】
【００２０】
請求項３に記載の発明によれば、上位側の変換部では、アナログ入力信号がサンプリングされ、サンプリングしたアナログ入力信号と基準電圧とが比較判定されて上位ビット側のデジタル信号が生成される。下位側の変換部では、上位側の変換部の比較判定動作中にサンプリングする動作が継続され、アナログ入力信号がサンプリングされる。又、そのサンプリングしたアナログ入力信号と前記上位ビット側のデジタル信号を再びアナログ信号にした値と前記上位側の変換部の比較判定結果とに基づいて、下位ビット側のデジタル信号が生成される。出力部では、両変換部が生成したデジタル信号が合成されデジタル出力信号が生成される。


【手続補正１１】
【補正対象書類名】明細書
【補正対象項目名】００２１
【補正方法】変更
【補正の内容】
【００２１】
請求項４に記載の発明によれば、前記下位側の変換部では、前記上位ビット側のデジタル信号が示す電位の範囲を拡大した範囲から下位ビット側のデジタル信号が生成される。


【手続補正１２】
【補正対象書類名】明細書
【補正対象項目名】００２２
【補正方法】変更
【補正の内容】
【００２２】
請求項５に記載の発明によれば、前記下位側の変換部では、前記上位ビット側のデジタル信号が示す電位を拡大した値が前記下位側基準電圧として設定される。